(57)【要約】【課題】タオル織機を用いて、高い毛羽を有する糸のみを緯糸に用い、手触りが極めてソフトで、弾力性やモコモコ感を有し且つ低コストで豪華さや高級感を与える織物を提供する。【解決手段】タオル織機を使用して緯糸と経糸を織り合わせた織物において、緯糸Ａ、Ｂ、Ｃ、Ｄ、Ｅ、Ｆ、Ｇ、Ｈ、Ｉ、Ｊ、Ｋ、Ｌに高い毛羽を有する糸を、経糸１、２、３、４、５、６、７、８、９、１０、１１、１２、１３、１４に綿糸を用い、前記緯糸が少なくとも１本以上の経糸と交錯し、前記緯糸を表裏に長く現して浮きを織成し、該浮きが前記経糸を隠蔽させて高い毛羽を有する糸の浮きのみを表裏に現す。【選択図】　　　　図１
2004131910.tif 000002
【特許請求の範囲】
【請求項１】
タオル織機を使用して緯糸と経糸を織り合わせた織物において、
緯糸に高い毛羽を有する糸を、経糸に綿糸を用い、前記緯糸が少なくとも１本以上の経糸と交錯し、前記緯糸を表裏に長く現して浮きを織成し、該浮きが前記経糸を隠蔽させて高い毛羽を有する糸の浮きのみを表裏に現すようにしたことを特徴とする織物。
【発明の詳細な説明】
【０００１】
【発明の属する技術分野】
本発明は織物、更に詳しくはタオル織機を使用して高い毛羽を有する糸と通常用いる綿糸で織成し、表裏に高い毛羽を有する糸の浮きのみを現した織物に関する。
【０００２】
【従来の技術】
従来、長い浮きを表裏、若しくは表又は裏の何れか一方の面に現した織物の代表的な織物組織が、朱子織であることは知られている。
又、モール糸の芯糸に単糸繊度１デニール以上のフィラメント糸条を用い、カバリング部分に単糸繊度０．５デニール以下の極細繊維を用いてなる総繊度５００〜１００００デニール以下のモール糸条を緯糸として用い、経糸には合成繊維の仮撚加工糸及び複合捲縮繊維糸条のいずれか一方又は双方を用いて、緯糸の経糸に対する浮き数を２以上５以下として製織されてなる色の深みを有するビロード調織物が提案されている（例えば特開昭５９−７６９４７号公報参照）。
【０００３】
【発明が解決しようとする課題】
従来の技術で述べた前者の朱子織は、表裏若しくは表又は裏の何れか一方の面に、連続する組織点と、緯糸若しくは経糸で長い浮きを現しているので、表面は極めて滑らかで柔らかい織物である。よって、ドレッシーな衣服等の用途には適しているが、ハンカチや袋物、敷物等の用途には適しないという問題点がある。
後者の特開昭５９−７６９４７号は、緯糸に複数の糸を用いているので高コスト化し、緯糸の経糸に対する浮き数を２以上５以下として製織されてなるので、モール糸の特徴から手触りがソフトな織物は得られ、カバン地、椅子貼り、壁貼り、カーシート等の用途には適しているが、弾力性やモコモコ感が少ないため、ハンカチや袋物等の用途には適さないという問題点がある。
そこで、発明者はタオル織機の特徴に着眼し、高い毛羽を有する糸のみを緯糸に用い、手触りが極めてソフトで、弾力性やモコモコ感を有し且つ低コストで豪華さや高級感を与え、ハンカチ、袋物、敷物等に適する織物を提供することを目的とする。
【０００４】
【課題を解決するための手段】
上記目的を達成するために本発明は、タオル織機を使用して緯糸と経糸を織り合わせた織物において、緯糸に高い毛羽を有する糸を、経糸に綿糸を用い、前記緯糸が少なくとも１本以上の経糸と交錯し、前記緯糸を表裏に長く現して浮きを織成し、該浮きが前記経糸を隠蔽させて高い毛羽を有する糸の浮きのみを表裏に現すようにしたことを特徴とする。
【０００５】
【発明の実施の形態】
以下、本発明の実施例を、図面に基づいて説明する。図１は組織図、図２は表面図である。高い毛羽を有する糸としては、モール糸や毛羽を有する無撚糸を用いるのであるが、ただここで図示した実施例では、高い毛羽を有する糸をモール糸を用いて説明する。タオル織機は、下経糸は、パイルを織成する上経糸と比較して張力が強くなるような特徴を有している。緯糸Ａ、Ｂ、Ｃ、Ｄ、Ｅ、Ｆ、Ｇ、Ｈ、Ｉ、Ｊ、Ｋ、Ｌはモール糸を用い、経糸１、２、３、４、５、６、７、８、９、１０、１１、１２は通常タオル織物に使用される綿糸を用いる。緯糸Ａは経糸１〜１１の上を通り経糸１２の下を通過し、緯糸Ｂは経糸１〜７の上を通り経糸８の下を通過し経糸９〜１２の上を通り、緯糸Ｃは経糸１〜１１の下を通過し経糸１２の上を通り、緯糸Ｄは経糸１〜７の下を通過し経糸８の上を通り９〜１２の下を通過し、緯糸Ｅは経糸１〜３の上を通り経糸４の下を通過し経糸５〜１２の上を通り、緯糸Ｆは経糸１〜９の上を通り経糸１０の下を通過し経糸１１、１２の上を通り、緯糸Ｇは経糸１〜３の下を通過し経糸４の上を通り経糸５〜１２の上を通り、緯糸Ｈは経糸１〜９の下を通過し経糸１０の上を通り経糸１１、１２の下を通過し、緯糸Ｉは経糸１の上を通り経糸２の下を通過し経糸３〜１２の上を通り、緯糸Ｊは経糸１〜５の上を通り経糸６の下を通過し経糸７〜１２の上を通り、緯糸Ｋは経糸１の下を通過し経糸２の上を通り経糸３〜１２の下を通過し、緯糸Ｌは経糸１〜５の下を通過し経糸６の上を通り経糸７〜１２の下を通過している。
このように緯糸は、経糸の１１本にわたって浮かせて浮きを現し、次に経糸１本と交錯する。この順番を繰り返すことにより製織する。緯糸の浮きは表に２本、次に裏に２本、次に表に２本と２本おきに交互に現し、表裏に同一の浮きを表現する。経糸には通常の綿糸を用いることと下経糸に強い張力が働くというタオル織機の特徴とが相まって、緯糸と交錯する経糸には強い張力が働き、交錯した箇所の緯糸を強い力で押さえつけるので、緯糸を止める止めとしての作用が働き、一層のモコモコとした立体感が表裏に表現されると同時に毛羽の高い緯糸が経糸を総て毛羽の中に隠蔽する。
図３及び図４に示される実施例について説明する。図３及び図４に示される実施例と図１及び図２に示される実施例と相違するところは止めを縦糸２本とした点である。説明を簡単にするために図１及び図２と同一の作用をなす部分は同一符号で説明する。緯糸Ａは経糸１〜１１の上を通り経糸１２の下を通過し経糸１３の上を通り経糸１４の下を通過し、緯糸Ｂは経糸１〜５の上を通り経糸６の下を通過し経糸７の上を通り経糸８の下を通過し経糸９〜１４の上を通り、緯糸Ｃは経糸１〜１１の下を通過し経糸１２の上を通り経糸１３の下を通過し経糸１４の上を通り、緯糸Ｄは経糸１〜５の下を通過し経糸６の上を通り経糸７の下を通過し経糸８の上を通り経糸９〜１４の下を通過する。本実施例は、緯糸は経糸１１本にわたって浮かせて浮きを現し、次に経糸３本と夫々交錯する。この順番を繰り返すことにより製織する。
本実施例では、経糸２本を止めとすることでより強い力で緯糸を押さえ付けることができ、一層のモコモコとした立体感を表裏に表現することができる。
【０００６】
【発明の効果】
本発明は、タオル織機を使用して緯糸に高い毛羽を有する糸と経糸に通常タオル織物に使用する綿糸を用い、緯糸の経糸に対する浮き数を１１本と長く現し１本若しく３本の経糸交錯し、この順番を繰り返して製織するので、強い力で緯糸を押さえ付ける経糸の働きにより、高い毛羽を有する糸の浮き部分を一層浮き上がらせ経糸すべてを隠蔽させ表裏にモコモコを有する立体感を現し、高い毛羽を有する糸、例えば高い毛羽を有するモール糸の特徴を最大限に表現する織物を提供することができるという効果がある。
また、緯糸の浮きを表裏に現したので、緯糸の色を変えたり、一方の面にプリントをしても他方の面にプリントが現れることがないので表裏別々のプリントをすることも可能となり、従って表裏ともに使用することができると共に、高い毛羽を有する糸と綿糸のみを用いて織成するので、低コストで柔らかく豪華さや高級感を与えるハンカチ、袋物、敷物等に適する織物を提供することが出来るという多大な効果がある。
【図面の簡単な説明】
【図１】組織図である。
【図２】表面図である。
【図３】組織図である。
【図４】表面図である。
【符号の説明】
Ａ、Ｂ、Ｃ、Ｄ、Ｅ、Ｆ、Ｇ、Ｈ、Ｉ、Ｊ、Ｋ、Ｌ　緯糸
１、２、３、４、５、６、７、８、９、１０、１１、１２、１３、１４　経糸
【図１】
2004131910.tif 000003
【図２】
2004131910.tif 000004
【図３】
2004131910.tif 000005
【図４】
2004131910.tif 000006